(57)【要約】  本体の少なくとも一部が、絶縁材料で形成され、少なくとも１つの不燃性部分が、本体の絶縁材料中に配置されるところの本体を含むケーブル構成要素。不燃性部分は、ケーブル構成要素の少なくとも約２５体積％を形成し、柔軟であり、本体の絶縁材料の量を低減し、それによってケーブル構成要素中の燃料装荷を低減する。
2015505126.tif 000002
【特許請求の範囲】
【請求項１】
本体であって、前記本体の少なくとも一部が、絶縁材料で形成される、本体と、
前記本体の前記絶縁材料中に配置される少なくとも１つの不燃性部分であって、前記不燃性部分が、ケーブル構成要素の少なくとも約２５体積％を形成し、前記少なくとも１つの不燃性部分が、柔軟であり、前記少なくとも１つの不燃性部分が、前記本体の前記絶縁材料の量を低減し、それによって前記ケーブル構成要素中の燃料装荷を低減する、少なくとも１つの不燃性部分と、
を含むことを特徴とするケーブル構成要素。
【請求項２】
前記少なくとも１つの不燃性部分は、ファイバーグラス、束ねたファイバーグラスの繊維、ファイバーグラスの糸、ファイバーグラスのロービング、刻んだファイバーグラス、織ったファイバーグラス、玄武岩の繊維、糸、織ったテープ、およびセラミック酸化物繊維のうちの１つであることを特徴とする請求項１に記載のケーブル構成要素。
【請求項３】
前記本体は、複数のアームを含み、前記少なくとも１つの不燃性部分は、前記アームの少なくとも１つの中に配置されることを特徴とする請求項２に記載のケーブル構成要素。
【請求項４】
前記本体は、複数のアームを含み、前記不燃性部分は、前記アームの２つの中に配置されることを特徴とする請求項２に記載のケーブル構成要素。
【請求項５】
前記本体の前記絶縁材料中に配置される複数の不燃性部分をさらに含み、前記複数の前記不燃性部分が、前記ケーブル構成要素の少なくとも約３０％を形成することを特徴とする請求項２に記載のケーブル構成要素。
【請求項６】
前記不燃性部分のそれぞれは、実質的に直線状の横断面形状を有することを特徴とする請求項５に記載のケーブル構成要素。
【請求項７】
前記不燃性部分の１つは、実質的に直線状の横断面形状を有し、前記不燃性部分の別のものは、繊維の束であることを特徴とする請求項５に記載のケーブル構成要素。
【請求項８】
前記不燃性部分のそれぞれは、実質的に円形かまたは正方形の横断面形状を有することを特徴とする請求項５に記載のケーブル構成要素。
【請求項９】
前記本体は、複数のアームを含み、前記複数のアームのそれぞれは、拡大した端部セクションを含み、前記複数の不燃性部分のそれぞれは、前記端部セクションのそれぞれの中にそれぞれ配置されることを特徴とする請求項５に記載のケーブル構成要素。
【請求項１０】
前記不燃性部分は、実質的にＬ字状の横断面を有することを特徴とする請求項２に記載のケーブル構成要素。
【請求項１１】
前記絶縁材料は、高難燃性ハロゲンフリーポリオレフィンであることを特徴とする請求項２に記載のケーブル構成要素。
【請求項１２】
前記本体はことを特徴とするテープである、請求項２に記載のケーブル構成要素。
【請求項１３】
前記不燃性部分は、前記本体の中心近くに配置されるファイバーグラスの繊維の束であることを特徴とする請求項１に記載のケーブル構成要素。
【請求項１４】
絶縁導体の複数のツイストペアと、
絶縁導体の前記複数のツイストペアを分離するように構成されるセパレータであって、前記セパレータが、
絶縁導体の前記複数のツイストペアをそれぞれ保持するためのチャンネルを有する本体であって、前記本体が、絶縁材料で形成され、前記絶縁材料が、難燃性である、本体と、
前記本体の前記絶縁材料中に配置される少なくとも１つの不燃性部分であって、前記少なくとも１つの不燃性部分が、前記本体の前記絶縁材料の量を低減し、それによって前記セパレータの燃料装荷を低減する、少なくとも１つの不燃性部分と、
を含む、セパレータと、
絶縁導体の前記複数のツイストペアおよび前記セパレータを取り囲む外側ジャケットと、
を含むことを特徴とするケーブル。
【請求項１５】
前記少なくとも１つの不燃性部分は、ファイバーグラス、束ねたファイバーグラスの繊維、ファイバーグラスの糸、ファイバーグラスのロービング、刻んだファイバーグラス、織ったファイバーグラス、玄武岩の繊維、糸、織ったテープ、およびセラミック酸化物繊維のうちの１つであることを特徴とする請求項１４に記載のケーブル。
【請求項１６】
前記少なくとも１つの不燃性部分は、前記セパレータの少なくとも約３０％を形成することを特徴とする請求項１５に記載のケーブル。
【請求項１７】
前記本体は、複数のアームを含み、前記少なくとも１つの不燃性部分は、前記アームの少なくとも１つの中に配置されることを特徴とする請求項１５に記載のケーブル。
【請求項１８】
前記本体の前記絶縁材料中に配置される複数の不燃性部分をさらに含むことを特徴とする請求項１５に記載のケーブル。
【請求項１９】
前記不燃性部分のそれぞれは、実質的に直線状の横断面形状を有するまたは繊維の束であることを特徴とする請求項１８に記載のケーブル。
【請求項２０】
前記不燃性部分のそれぞれは、実質的に円形かまたは正方形の横断面形状を有することを特徴とする請求項１８に記載のケーブル。
【請求項２１】
前記本体は、複数のアームを含み、前記複数のアームのそれぞれは、拡大した端部セクションを含み、前記複数の不燃性部分のそれぞれは、前記端部セクションのそれぞれの中にそれぞれ配置されることを特徴とする請求項１８に記載のケーブル。
【請求項２２】
前記不燃性部分は、実質的にＬ字状の横断面を有することを特徴とする請求項１５に記載のケーブル。
【請求項２３】
前記絶縁材料は、高難燃性ハロゲンフリーポリオレフィンであることを特徴とする請求項１５に記載のケーブル。
【請求項２４】
前記本体は、テープであることを特徴とする請求項１５に記載のケーブル。
【請求項２５】
前記セパレータの前記本体は、前記チャンネルを画定する４つのアームを備えた交差ウェブであり、
複数の不燃性部分は、前記複数の不燃性部分の少なくとも１つが前記４つのアームのそれぞれの中にそれぞれ配置されるように、前記セパレータの前記本体の前記絶縁材料中に配置されることを特徴とする請求項１５に記載のケーブル。
【請求項２６】
絶縁導体の複数のツイストペアと、
絶縁導体の前記複数のツイストペアを分離するように構成されるセパレータであって、前記セパレータが、
絶縁導体の前記複数のツイストペアをそれぞれ保持するためのチャンネルを有する本体であって、前記本体が、高難燃性絶縁材料で形成される、本体と、
前記本体の前記高難燃性絶縁材料中に配置される複数の柔軟なファイバーグラス部分であって、前記複数の柔軟なファイバーグラス部分が、前記本体の前記絶縁材料の量を低減し、それによって前記セパレータの燃料装荷を低減する、複数の柔軟なファイバーグラス部分と
を含む、セパレータと、
絶縁導体の前記複数のツイストペアおよび前記セパレータを取り囲む外側ジャケットと、
を含み、
前記柔軟なファイバーグラス部分は、前記セパレータの少なくとも約２５体積％を形成することを特徴とするケーブル。
【発明の詳細な説明】
【技術分野】
【０００１】
関連出願の参照
本出願は、２０１１年１２月６日に出願された米国仮特許出願第６１／５６７，４２８号の利益を主張するものである。上述の出願の開示は、参照により本出願に全体としてここに組み込まれる。
【０００２】
本発明は、耐火炎性および耐燃焼性のためにファイバーグラスなどの不燃性材料を含む、ライザーケーブルおよびプレナムケーブルなどのケーブルのための構成要素に関する。
【背景技術】
【０００３】
ライザーおよびプレナムの両方の応用のための従来の通信ケーブルは典型的には、図１で見られるように、ペア１００に一緒にねじられ、外側ジャケット１０２によって取り囲まれる多数の絶縁導体を含む。クロストークまたは干渉は、ケーブル内のツイストペア間またはケーブル中の他の構成要素間の電磁結合のためにしばしば起こり、それによってケーブルの電気的性能を低下させる。また、ネットワークが、より複雑になり、より高帯域幅のケーブル配線を必要とするにつれて、ケーブルからケーブルのクロストーク（エイリアンクロストーク）の低減も、ますます重要になる。
【０００４】
図１で示されるセパレータ１１０などの、バリアまたはセパレータは、導体のペアを分離して孤立させるために、特にプレナム応用でしばしば使用され、それによってクロストーク干渉を低減する。そのようなバリアおよびセパレータは通常、ＮＦＰＡ２６２の要件によって試験されるプレナムケーブルの場合はＦＥＰのようなフッ素重合体およびＵＬ１６６６によって試験されるライザーケーブルの場合は難燃性ポリオレフィンなどの、ケーブル燃焼試験を満たす１つまたは複数の難燃性絶縁材料でできている。他の応用では、そのようなバリアはまた、低発煙、ゼロハロゲンのための試験またはＵＬ１６６６もしくはＮＦＰＡ２６２に似た他の燃焼試験などの規格のための要件を満たす必要もある。
【０００５】
しかしながら、そのような難燃性絶縁材料は典型的には、ハロゲン化されており、燃やされると有毒なハロゲンを放出する。フッ素重合体は特に、燃やされると溶融して滴る。また、フッ素重合体は典型的には、高需要に起因してより高価でもある。
【発明の概要】
【発明が解決しようとする課題】
【０００６】
従って、業界標準の燃焼要件を満たし、より低毒性でより安価であるケーブル構成要素の必要性が存在する。
【課題を解決するための手段】
【０００７】
それに応じて、本発明は、本体の少なくとも一部が、絶縁材料で形成され、少なくとも１つの不燃性部分が、本体の絶縁材料中に配置されるところの本体を含むケーブル構成要素を提供する。不燃性部分は、ケーブル構成要素の少なくとも約２５体積％を形成し、柔軟であり、本体の絶縁材料の量を低減し、それによってケーブル構成要素中の燃料装荷（fuel load）を低減する。
【０００８】
本発明はまた、絶縁導体の複数のツイストペアと、絶縁導体の複数のツイストペアを分離するように構成されるセパレータとを含むケーブルにも関する。セパレータは、絶縁導体の複数のツイストペアの１つをそれぞれ保持するチャンネルを有する本体を含む。本体は、難燃性である絶縁材料で形成される。少なくとも１つの不燃性部分は、本体の絶縁材料中に配置される。少なくとも１つの不燃性部分は、本体の絶縁材料の量を低減し、それによってセパレータの燃料装荷を低減する。外側ジャケットは、絶縁導体の複数のツイストペアおよびセパレータを取り囲む。
【０００９】
本発明はまた、絶縁導体の複数のツイストペアと、絶縁導体の複数のツイストペアを分離するように構成されるセパレータとを含むケーブルも提供する。セパレータは、チャンネルを有する本体を含み、そのチャンネルのそれぞれは、絶縁導体の複数のツイストペアの１つを保持する。本体は、高難燃性絶縁材料で形成される。複数の柔軟なファイバーグラス部分は、本体の絶縁材料中に配置される。複数の柔軟なファイバーグラス部分は、本体の絶縁材料の量を低減し、それによってセパレータの燃料装荷を低減する。外側ジャケットは、柔軟なファイバーグラス部分が前記セパレータの少なくとも約２５体積％を形成するように、絶縁導体の複数のツイストペアおよびセパレータを取り囲む。
【００１０】
本発明の他の目的、利点および顕著な特徴は、付属の図面と併せて本発明の好ましい実施形態を開示する次の詳細な説明から明らかになろう。
【００１１】
本発明のより完全な理解およびそれの付随する利点の多くは、添付の図面に関連して考察するとき同じことが次の詳細な説明を参照することによってより良く理解されることになるので容易に得られることになる。
【図面の簡単な説明】
【００１２】
【図１】従来技術のケーブルおよびセパレータの横断面図である。
【図２】本発明の第１の例となる実施形態によるケーブル構成要素の横断面図である。
【図３】本発明の第２の例となる実施形態によるケーブル構成要素の横断面図である。
【図４Ａ】本発明の第３の例となる実施形態によるケーブル構成要素の横断面図である。
【図４Ｂ】図４Ａで例示されるケーブル構成要素の部分斜視図である。
【図５】本発明の第４の例となる実施形態によるケーブル構成要素の横断面図である。
【図６】本発明の第５の例となる実施形態によるケーブル構成要素の横断面図である。
【図７】本発明の第６の例となる実施形態によるケーブル構成要素の横断面図である。
【発明を実施するための形態】
【００１３】
図２、図３、図４Ａ、図４Ｂ、および図５〜図７を参照すると、本発明の例となる実施形態によるセパレータなどのケーブル構成要素は、改善された燃焼特性および耐熱性をケーブル構成要素に提供するためにファイバーグラスなどの不燃性材料をその中に組み込む。不燃性材料は、一緒に束ねた個別のガラス繊維、ファイバーグラスの糸、ファイバーグラスのロービング、刻んだファイバーグラス、織ったファイバーグラスのテープまたはシート、および同様のものであってもよい。これらの材料は、ケーブル構成要素もまた柔軟性を維持することを可能にしながら最適燃焼特性を有するので、望ましい。玄武岩の繊維、糸、織ったテープ、高温セラミック酸化物繊維、他のセラミックマイカテープ、および同様のものなどの、他の適切な不燃性材料がまた、用いられてもよい。これらの材料は、ケーブル応用でのそれらの高温性能のために望ましい。不燃性材料は、セパレータのＦＥＰまたはポリオレフィンなどの燃料燃焼材料を置き換え、それ故にそれらの量を低減し、それによってセパレータの燃焼性能を改善する。例となる実施形態のセパレータは好ましくは、少なくとも約２５体積％の不燃性材料である。
【００１４】
特にプレナム応用の場合は、ケーブル構成要素のハロゲン化フッ素重合体は、燃焼特性を犠牲にすることなく不燃性材料によって置き換えられる。そのことは、ケーブル中の高価で潜在的に有害なハロゲン化材料の含有量を大幅に低減する。また、多くのフッ素重合体は、非常な暑さの下にあるとき、溶融して表面上に滴る傾向があり、その表面でそれらは、きれいに燃えるよりもむしろ煙を出し続ける。フッ素重合体の少なくとも一部分を置き換える不燃性材料、例えばファイバーグラスは、加熱されるとケーブルから滴り、煙を出す可能性がある溶融材料の量を制限する。また、本発明では、改善された燃焼特性および耐熱性を提供するために不燃性材料をその中に組み込むことによってプレナム応用での難燃性ポリオレフィンセパレータを組み立てることも可能である。典型的な難燃性ポリオレフィンは、典型的にはフッ素重合体よりも大きい火炎拡散を許す傾向があるので、規格要件を満たすプレナム応用に使用できない。しかしながら、不燃性材料は、ケーブル構成要素で必要とされることになる難燃性ポリオレフィンの量を大幅に低減するので、ポリオレフィンなどのより安価な非フッ素重合体材料を使用し、ＮＦＰＡ２６２試験を満たすために必要とされる煙および火炎の拡散性能をなお維持することは、今では可能である。さらに、低発煙、ゼロ−ハロゲンのプレナム級ペアセパレータを組み立て、ＮＦＰＡ２６２試験の要件をなお満たすこともまた、本発明で可能である。
【００１５】
要件が限定垂直火炎拡散を義務付けるところのライザー応用の場合は、ケーブル構成要素の燃焼性能は、本発明による不燃性材料の追加によって大幅に改善される可能性がある。そして例えばファイバーグラスの優れた燃焼特性のために、ライザー応用についての要件を満たすのに必要とされる難燃材の量は、大幅に低減される。一般に、ファイバーグラスの優れた燃焼特性はまた、難燃性ポリオレフィンの燃焼特性をも上回り、それによってライザー燃焼試験での全体的性能を改善する。また、セパレータ中のポリマー材料をファイバーグラスのような不燃性材料で置き換えることから結果として生じる燃料装荷の低減のために、ケーブルの他の部分の難燃材は、低減されてもよい。そのことは、外側ジャケットおよび絶縁材料ならびにシールドケーブルでのバリアテープなどの他のケーブル構成要素で使用される難燃材の量の低減を可能にする。
【００１６】
図２は、本発明の第１の例となる実施形態によるケーブル構成要素またはセパレータ２１０を例示する。セパレータ２１０は、ケーブル中でペア１００を孤立させるように働く。例として、１つまたは複数のペア１００は、セパレータ２１０の片方の側面２１４に隣接してケーブル中に位置してもよく、１つまたは複数のペア１１０は、セパレータ２１０のもう一方の側面２１６に隣接して位置してもよい。セパレータ２１０は、実質的に平坦である本体２１２を有する。例えば、セパレータの本体２１２は、テープであってもよい。本体２１２は好ましくは、ＦＥＰのような難燃性ポリマーまたは高難燃性ハロゲン−フリーポリオレフィンなどの絶縁材料でできている。本体２１２に組み込まれるのは、好ましくはセパレータの長さにわたって延びる不燃性材料または部分２２０である。不燃性部分２２０は、好ましくは柔軟である。例えば、不燃性材料２２０は、セパレータ２１０の柔軟性を維持しながら本体２１２の絶縁材料の一部分を置き換える、ファイバーグラスなどの複数のストランドで形成されてもよい。図２で見られるように、不燃性部分２２０は、セパレータ２１０の約８０％である。
【００１７】
図３で見られるように、本発明の第２の例となる実施形態によるケーブル構成要素またはセパレータ３１０は、図１のセパレータ１１０と同様にケーブルのペア１００を分離するために使用されてもよい。セパレータ３１０は、複数のアーム３１４を含む全体的に交差ウェブ形状の横断面を持つ本体３１２を有する。アーム３１４は、セパレータ３１０の中心３２２から延び、先が細くなってもよい。ペア１００を受け入れるためのチャンネル３１８は、アーム３１４の間に画定される。第１の実施形態のセパレータと同様に、本体３１２は好ましくは、絶縁材料でできている。セパレータ３１０の中心３２２に提供されるのは、好ましくはセパレータの長さにわたって延びる不燃性部分３２０である。不燃性部分３２０は、例えば、ファイバーグラスストランドなどのストランドの複数の束であってもよい。不燃性部分３２０はまた好ましくは、セパレータ３１０の約５０体積％を形成もする。
【００１８】
図４Ａおよび図４Ｂで見られるように、本発明の第３の実施形態によるケーブル構成要素またはセパレータ４１０は、複数のアーム４１４を含む全体的に交差ウェブ形状の横断面を持つ本体４１２を有する。本体４１２は好ましくは、第１および第２の実施形態と同様に難燃性絶縁材料でできている。
【００１９】
セパレータ４１０の各アーム４１４は好ましくは、拡大した端部セクション４１６を有する。拡大した端部セクション４１６は、図４Ａで見られるように、三角形などの任意の横断面形状を有してもよい。ペア１００を個別に受け入れるように構成されるチャンネル４１８は、拡大した端部セクションとアーム４１４との間に画定される。各端部セクション４１６中に配置されるのは、不燃性部分４２０であってもよい。不燃性部分４２０は、図４Ｂで見られるように、セパレータ２１０の長さにわたって延びる。各不燃性部分４２０は、実質的に円形（図４Ａ）または実質的に正方形（図４Ｂ）などの、任意の横断面形状を有してもよい。アーム４１４の各端部セクション４１６が不燃性部分４２０を含むことは、好ましいけれども、たった１つの端部セクション４１６を含む、任意の数の端部セクション４１６が、不燃性部分４２０を有してもよい。
【００２０】
図５で見られるように、本発明の第４の例となる実施形態によるケーブル構成要素５１０は、実質的に交差ウェブ形状の横断面を有する本体５１２を含むセパレータである。本体５１２は好ましくは、前の実施形態のように難燃性ポリマーでできており、複数のアーム５１４を含む。アーム５１４は、セパレータの中心５２２から延び、先が細くなってもよい。ペア１００を受け入れるためのチャンネル５１８は、アーム５１４の間に画定される。
【００２１】
セパレータ５１０の各アーム５１４は、第１の実施形態の不燃性部分２２０と同様に、セパレータの長さにわたって延びる不燃性部分５２０を有してもよい。各不燃性部分５２０は好ましくは、図５で見られるように、実質的に直線状の横断面である全体的に平坦な形状を有する。各不燃性部分５２０は好ましくは、各アーム５１４のほぼ幅にわたって延び、セパレータの中心５２２を不燃性材料のない状態に残す。しかしながら、アーム５１４のどんな部分も、不燃性部分５２０を含んでもよい。別法として、不燃性部分５２０はまた、セパレータの中心５２２に追加されてもよい。例えば、１つの不燃性部分５２０は、２つのアーム５１４を横断し、中心５２２を通って広がってもよい。各アーム５１４がそれ自体の不燃性部分５２０を含むことは、好ましいけれども、たった１つのアーム５１４を含む、任意の数のアーム５１４が、不燃性部分５２０を含んでもよい。
【００２２】
図６で見られるように、本発明の第５の例となる実施形態によるケーブル構成要素またはセパレータ６１０は、不燃性部分６２０がセパレータ６１０の１つのアーム６１４よりも大きく広がることを除いては、第４の実施形態のセパレータ５１０に似ている。第４の実施形態のセパレータ５１０と同様に、第５の実施形態のセパレータ６１０は、複数のアーム６１４を含む交差ウェブ形状を持つ本体６１２を有する。不燃性部分６２０は、各部分６２０が、図６で見られるように、実質的にＬ字状の横断面を有するように、アーム６１４の２つおよびセパレータの中心６２２にそれぞれ配置される。各不燃性部分６２０は好ましくは、セパレータ６１０の長さにわたって延びる。図６で例示されるように、少なくとも２つの不燃性部分６２０を使用することは、好ましいけれども、１つだけの不燃性部分６２０が、使用されてもよい。
【００２３】
図７で見られるように、本発明の第６の例となる実施形態によるケーブル構成要素またはセパレータ７１０は、前の実施形態の態様を組み合わせる。特に、セパレータ７１０は、第２、第４および第５の実施形態と同様に全体的に交差ウェブ形状を有する。セパレータ７１０は、不燃性部分７２０および７２２を組み込む本体７１２を有する。不燃性部分７２０は、例えば、本体７１２の２つのアーム７１４に広がる実質的に直線状の横断面を備えて全体的に平坦であってもよい。平坦な不燃性部分７２０の両側には、平坦な布に織られ、Ｌ字状に折り畳まれ、次いでセパレータ７１０のその他の２つのアーム中に配置される繊維またはストランドの束を好ましくは形成する不燃性部分７２２があってもよい。その他の実施形態と同様に、不燃性部分７２０および７２２は好ましくは、柔軟であり、硬くない。
【００２４】
特定の実施形態が、本発明を例示するために選択されたが、様々な変形および変更が、添付の請求項で規定されるような本発明の範囲から逸脱することなくその中でなされてもよいことは、当業者には理解されよう。例えば、任意のセパレータは、本発明によって教示されるような不燃性材料または部分を組み込んでもよく、上述の実施形態に限定されない。さらに、上記の不燃性部分の任意の組み合わせが、セパレータに組み込まれてもよい。また、バリア、ラップおよび充填材などの、他のケーブル構成要素が、本発明によって教示されるように、ファイバーグラスを組み込んでもよい。
【符号の説明】
【００２５】
１００  絶縁導体のペア
１０２  外側ジャケット
１１０  セパレータ
２１０  ケーブル構成要素、セパレータ
２１２  本体
２１４  セパレータの片方の側面
２１６  セパレータのもう一方の側面
２２０  不燃性材料、不燃性部分
３１０  ケーブル構成要素、セパレータ
３１２  本体
３１４  アーム
３１８  チャンネル
３２０  不燃性部分
３２２  セパレータの中心
４１０  ケーブル構成要素、セパレータ
４１２  本体
４１４  アーム
４１６  端部セクション
４１８  チャンネル
４２０  不燃性部分
５１０  ケーブル構成要素、セパレータ
５１２  本体
５１４  アーム
５１８  チャンネル
５２０  不燃性部分
５２２  セパレータの中心
６１０  ケーブル構成要素、セパレータ
６１２  本体
６１４  アーム
６２０  不燃性部分
６２２  セパレータの中心
７１０  ケーブル構成要素、セパレータ
７１２  本体
７１４  アーム
７２０  不燃性部分
７２２  不燃性部分
【図１】
2015505126.tif 000003
【図２】
2015505126.tif 000004
【図３】
2015505126.tif 000005
【図４Ａ】
2015505126.tif 000006
【図４Ｂ】
2015505126.tif 000007
【図５】
2015505126.tif 000008
【図６】
2015505126.tif 000009
【図７】
2015505126.tif 000010
【国際調査報告】
2015505126.tif 000011
2015505126.tif 000012